(57)【特許請求の範囲】
【請求項１】
伸張状態でＹ字形をなす基幹ベルトと、
前記Ｙ字形の上部両端間の最大長を決める肩ベルトと、
前記Ｙ字形の一方の上端から延びて他方の上端に連結されうる首ベルトと、
前記Ｙ字形の一方の上端から延びて他方の上端に連結されうる胸ベルトと、
前記Ｙ字形の交点から延びて下端に連結されうる２本の下肢ベルトと
を備えることを特徴とする四足動物用介護ハーネス。
【請求項２】
更に、前記Ｙ字形の交点と左右の上端とを各々連結しうる２本の胴ベルトを備える請求項１に記載のハーネス。
【請求項３】
前記胴ベルトの一端は前記Ｙ字形の交点に固定され、他端は胸ベルトの自由端と合わせられている請求項２に記載のハーネス。
【請求項４】
更に、一端が前記下肢ベルトの自由端と合わせられ、他端が前記Ｙ字形の交点に連結されうる２本の第二下肢ベルトを備える請求項１に記載のハーネス。
【請求項５】
各ベルトは長さ調節金具を有する請求項１〜４のいずれかに記載のハーネス。
【請求項６】
更に、前記首ベルトの任意の位置、前記Ｙ字形の交点及び前記Ｙ字形の下端の各々に取り付けられた合計３つのリングもしくはフックを備える請求項１に記載のハーネス。
【請求項７】
更に、３つの自由端を有し、各自由端に前記リングもしくはフックと係り合うフックもしくはリングを有する３点吊りリードを備える請求項６に記載のハーネス。
【発明の詳細な説明】
【技術分野】
【０００１】
この発明は、四足動物の全身を無駄なく保持し、散歩や介護が容易に行えるようにする介護ハーネス及びそれに適した歩行補助具に関する。
【背景技術】
【０００２】
高齢の又は障害を有する四足愛玩動物の散歩や排便時の介護を補助する用具として、幅広の布を動物の胴体に巻き、端部に持ち手を付けて胴体を保持する胴着、同様に持ち手を有する布に前足もしくは後足を通す孔を設けて動物にはかせる歩行補助ハーネス、ベルトを後足及び腰の回りに巻いて必要に応じて尿パッドを取り付ける散歩用ハーネスなど（いずれも非特許文献１）が販売されている。また、後足の麻痺などが原因で腰部が沈んでしまった四足動物の腰部を浮かせるコルセットも提案されている（特許文献１）。
【０００３】
更にまた、散歩時の飼育者の負担を軽減するために、動物の後足もしくは臀部を載せる台と、台の両側に装着された車輪とを備える車椅子（特許文献２及び３）や、枠体の下端に車輪を３つあるいは４つ装着し、枠体の上部にハーネスを取り付けて動物を吊るようにした歩行補助具（特許文献４及び５）も提案されている。
【先行技術文献】
【特許文献】
【０００４】
【特許文献１】特開２００９−１５９９１７号公報
【特許文献２】特開２００５−３１２３７０号公報
【特許文献３】特開２００６−３１４２２６号公報
【特許文献４】特開２００３−９７０４号公報
【特許文献５】特開２００８−２５３２２０号公報
【非特許文献】
【０００５】
【非特許文献１】アイアンバロン、[online]、［平成２１年１１月２６日検索］、インターネット<http://www.retriever.org/list/kaigo.html?ga>
【発明の概要】
【発明が解決しようとする課題】
【０００６】
しかし、非特許文献１に記載の胴着や特許文献１に記載のコルセットは、サイズが固定されているため、老衰や病気に伴うやせ細りあるいは肥満に対応できないし、装着したまま排便すると汚れやすい。非特許文献１に記載の歩行補助ハーネスや散歩用ハーネスは、起き上がり時の補助には適さず、無理に引っ張ると動物の体に食い込んでしまう。
一方、特許文献２及び３に記載の車椅子は、排泄はもとより伏せや座りなどの姿勢変更すらできない。特許文献４及び５に記載の歩行補助具は、三輪もしくは四輪であるので、小回りがきかないし、不整地でバランスを失いやすい。
それ故、この発明の第一の課題は、様々なサイズの動物に適用可能で、装着したまま排便させることができ、しかも起き上がり時及び散歩時の補助に適した四足動物用介護ハーネスを提供することにある。第二の課題は、前記ハーネスと好適に組み合わせられ、姿勢変更に対応可能で、操作性に優れた歩行補助具を提供することにある。
【課題を解決するための手段】
【０００７】
その課題を解決するために、この発明の四足動物用介護ハーネスは、
伸張状態でＹ字形をなす基幹ベルトと、
前記Ｙ字形の上部両端間の最大長を決める肩ベルトと、
前記Ｙ字形の一方の上端から延びて他方の上端に連結されうる首ベルトと、
前記Ｙ字形の一方の上端から延びて他方の上端に連結されうる胸ベルトと、
前記Ｙ字形の交点から延びて下端に連結されうる２本の下肢ベルトと
を備えることを特徴とする。
【０００８】
この発明のハーネスを動物に装着するときは、基幹ベルト及び肩ベルトを動物の背に当て、首ベルトを首に、胸ベルトを胸に巻いて各々基幹ベルトの他方の上端に連結する。そして、下肢ベルトを各々後足の付け根に巻いて基幹ベルトの下端に連結する。この状態で基幹ベルトを上げると、体重が首、胸及び下肢に分散されるので、ベルトの張力が一カ所に集中することがなく、動物の体に食い込むこともない。
【０００９】
基幹ベルトがＹ字形をなし、その両端間に肩ベルトが掛かっているので、基幹ベルトが背からずれにくく、安定する。そして、構成要素がいずれもベルトであるから、余剰の長さ分を括り付けるか長さ調節金具を取り付けるなどして長さを調節することにより、動物の体重の増減に容易に適応できるし、排便時には汚れにくい。また、おむつを着用するようになってもおむつの上から装着できるし、おむつ交換の際は下肢ベルトだけを開放すればよい。
【００１０】
この発明のハーネスは、好ましくは前記Ｙ字形の交点と左右の上端とを各々連結しうる２本の胴ベルトを更に備える。これらの２本の胴ベルトは、背中に位置するＹ字形の交点と胸を経由してＹ字形の上端と各々連結されることにより、胸部ないし上腹部で互いにＸ字形に交差し、胸部ないし上腹部を安定に保持することができるからである。
同様に好ましくは一端が前記下肢ベルトの自由端と合わせられ、他端が前記Ｙ字形の交点に連結されうる２本の第二下肢ベルトを更に備える。これらの２本の第二下肢ベルトは、後足の外側に回して前記Ｙ字形の交点に各々連結されることにより、後足が外側と内側とで支えられることになるし、あるいは腹を経由してＹ字形の交点に各々連結されれば、互いにＸ字形に交差して下腹部が支えられる。いずれにしても、股や臀部がやせ細った動物でも股や臀部を安定に保持することができるからである。
【００１１】
この発明の特に好ましいハーネスは、更に、前記首ベルトの任意の位置、前記Ｙ字形の交点及び前記Ｙ字形の下端の各々に取り付けられた合計３つのリングもしくはフックを備えるとともに、３つの自由端を有し、各自由端に前記リングもしくはフックと係り合うフックもしくはリングを有する３点吊りリードを備える。リードの自由端を首ベルト並びに基幹ベルトの交点及び下端に掛けることにより、リードを持ち上げるだけで３点で動物をますます安定に保持することができるからである。
【００１２】
次に、この発明のハーネスと適切に組み合わせられる歩行補助具は、
基部と、
基部より一方向に延びる前腕と、
基部より前腕と１００度以上１７０度以下の角度をなす方向に延びる後腕と、
基部より前後腕に直交する左右方向に延びた後、下降し、先端に車輪が取り付けられた主脚と、
前腕の端部付近、後腕の端部付近及び基部もしくは後腕における基部付近の３カ所のうち少なくとも２カ所に取り付けられて、前記ハーネスにおける基幹ベルト及び首ベルトのリングもしくはフックと係り合うフックもしくはリングと
を備えることを特徴とする。
【００１３】
この発明のハーネスを動物に装着した上で、お座りや伏せといった安楽な姿勢をとらせ、図１に示すように後方から主脚で胴体を挟むような形で歩行補助具を接地させる。そして、フック及びリングを係り合わせることにより基幹ベルトを後腕及び場合により基部に固定する。この状態で車輪を介助者の足などで一時的に固定し、前腕を前傾させることで、主脚が直立する。すると、車輪が支点、前腕が力点、後腕が作用点となって、てこの原理により小さな力で動物の下半身を持ち上げることができる。その後、首ベルトを前腕に固定することで、歩行中に楽に舵取りができる。しかも、前腕と後腕で釣り合いをとりながら、犬の体重を車輪が支えるため、介助者の負担が減る。お座りや伏せといった姿勢をとらせるときは、再度前腕と首ベルトとの掛かり合いを開放すればよい。尚、寒冷地においては車輪に代えてスキー板を取り付けても良い。
【発明の効果】
【００１４】
以上のように、この発明の四足動物用介護ハーネスは、様々なサイズの動物や体重変化に対応可能で、装着したまま排便させることができるので、飼育者にとって経済的にも体力的にも軽い負担で動物を介護することができる。また、動物の体に食い込むことがないので、起き上がり時及び散歩時に動物にとっても負担が軽く、心地よい。更に、ハーネスと歩行補助具を組み合わせることで、一層散歩がしやすくなる。
【図面の簡単な説明】
【００１５】
【図１】この発明の歩行補助具の作用を説明する図である。
【図２】実施形態１に係る四足動物用介護ハーネスを示す斜視図である。
【図３】同ハーネスの各構成要素を記号化して示す図である。
【図４】（ａ）は同ハーネスに用いられるジョイントを示す平面図、（ｂ）はバックルを示す平面図、（ｃ）は長さ調節具を示す平面図、（ｄ）は長さ調節具を示す底面図である。
【図５】同ハーネスの使用状態を記号化して示す図である。
【図６】同ハーネスに用いられる三点吊りリードを示す斜視図である。
【図７】同ハーネスとともに用いられる歩行補助具を示す正面図である。
【図８】同歩行補助具の平面図である。
【図９】同じく右側面図である。
【図１０】（ａ）は図９のＡＡ断面図、（ｂ）はＢ部拡大図である。
【図１１】同歩行補助具の装着方法を示す斜視図である。
【図１２】同歩行補助具の使用方法を示す斜視図である。
【図１３】同歩行補助具の別の使用方法を示す斜視図である。
【図１４】同歩行補助具の収納状態を示す右側面図である。
【図１５】もう一つの歩行補助具を動物とともに示す斜視図である。
【図１６】同歩行補助具とともに用いられる保護ソックスを示す斜視図である。
【図１７】実施形態２に係る四足動物用介護ハーネスの各構成要素を記号化して示す図である。
【図１８】同ハーネスの使用状態を記号化して示す図である。
【図１９】実施形態３に係る四足動物用介護ハーネスの各構成要素を記号化して示す図である。
【図２０】同ハーネスの使用状態を記号化して示す図である。
【発明を実施するための形態】
【００１６】
−実施形態１−
図２はこの発明の第一の実施形態に係る四足動物用介護ハーネスを示す斜視図、図３は同ハーネスの各構成要素を記号化して示す図である。
ハーネス１は、３本の帯状のセグメント２ａ、２ｂ、２ｃからなる基幹ベルト２、肩ベルト３、首ベルト４、胸ベルト５及び２本の下肢ベルト６、６を備える。セグメント及びベルトは、同じ材質からなり、同じ幅、同じ厚さを有していてもよいが、基幹ベルトと他のベルトとは色分けしておくと動物への装着時に認識しやすくて誤装着の防止に役立つ。
【００１７】
基幹ベルト２は、セグメント２ａ、２ｂ、２ｃの伸張状態でＹ字形をなし、セグメント２ａと２ｂとは対称形をなす。セグメント２ａ、２ｂ、２ｃは、交点でジョイント２ｄにて連結されており、セグメント２ａ、２ｂ、２ｃの先端にもジョイント２ｅ、２ｆ、２ｇが取り付けられている。いずれのジョイントもプラスチック製で、図４（ａ）に平面図で示すようにベルトを通すためにベルトの幅と同じ長さの孔が複数形成されている。
【００１８】
肩ベルト３は、ジョイント２ｅ、２ｆ間に架けられてセグメント２ａ、２ｂの先端間の最大長を決めており、これによりセグメント２ａ、２ｂの先端は肩ベルト３の長さを超えて互いに広がることはない。首ベルト４及び胸ベルト５は、いずれも一端がジョイント２ｅに固着されていて他端に雄バックル４ａ、５ａがそれぞれ取り付けられている。ジョイント２ｆには、これらの雄バックルに適合する雌バックル４ｂ、５ｂが短いベルトを介して取り付けられている。雄バックル４ａ、５ａは、プラスチック製で図４（ｂ）に平面図で示すようにくちばし状をなし、両くちばしが近づく方向に弾性変形可能で、弾性変形させながら雌バックル４ｂ、５ｂ内に挿入し、完全に挿入されると復元して雌バックル４ｂ、５ｂと連結する。後述の全てのバックルも同様である。
【００１９】
下肢ベルト６、６は、それぞれ一端がジョイント２ｄに固着されていて他端に雄バックル６ａ、６ａが取り付けられている。そして、ジョイント２ｇに雌バックル６ｂ、６ｂが短いベルトを介して取り付けられている。
雌バックルをジョイントに取り付けるための短いベルトを除く全てのベルト及びセグメントは、図４（ｃ）及び図４（ｄ）にそれぞれ平面図及び底面図で示すような公知の長さ調節具７（図３では円形で示す。）を有する。
【００２０】
このハーネス１を動物に装着するときは、図５に平面視で示すようにハーネス１を動物Ｗの背中に載せ、首ベルト４を首に、胸ベルト５を胸に、下肢ベルト６、６を股の内側にそれぞれ巻いて雄バックル４ａ、５ａ、６ａをそれぞれ雌バックル４ｂ、５ｂ、６ｂと連結する。こうして、肩ベルト３又は基幹ベルト２の適当な個所をもつことにより、動物の体を締め付けることなく前後で保持することができる。また介助の際は、前足が弱っている動物に対しては肩ベルト３を持ち上げるように、後足が弱っている動物に対してはセグメント２ｃを持ち上げるように、適当な個所にリードを接続することにより、動物に過度の負担をかけることなく介助することができる。
【００２１】
そして、２本の下肢ベルト６、６はいずれも下腹部と干渉することなく両側に位置するので、装着した状態で排便しても汚れることはない。
首ベルト４と胸ベルト５とは、いずれか一方が他方のジョイント２ｆに固着されていても良いが、図示のように同じジョイント２ｅに固着されているほうが、動物に対して同じ側で連結することができるので、寝たきり状態になっても装着しやすい。
【００２２】
更に、首ベルト４の任意の位置、ジョイント２ｄもしくはその付近及びジョイント２ｇもしくはその付近の各々にリング２ｈ、２ｉ、２ｊを取り付ければ、図６に斜視図で示す３点吊りリードのフックをリングに引っかけることにより、片手で３点を同時に支持することができる。３点吊りリードは、３つの自由端を有し、各自由端に前記リングと係り合うフックを有する。尚、リングとフックとは逆の関係でもよい。
【００２３】
次に、ハーネス１と好適に組み合わせて用いられる歩行補助具について図７〜図１０とともに説明する。図７は歩行補助具を示す正面図、図８（ａ）は同じく平面図、図８（ｂ）は図８（ａ）のＢ部拡大破断図、図９は同じく右側面図、図１０（ａ）は図９におけるＡＡ矢視断面図、図１０（ｂ）は図９におけるＢ部拡大図である。
歩行補助具１０は、二重管状の基部２０と、基部２０の長さ方向中点位置より垂直方向に延びる前腕３０と、基部２０と直交し且つ前腕３０と１５０度の角度をなす方向に延びる二本の後腕４０、４０と、基部２０より前後腕３０、４０に直交する方向に延びた後、下降し、先端に車輪５６が取り付けられた一対の主脚５０、５０とを備える。
【００２４】
基部２０は、外管２１及び内管２２とで二重管状をなし、外管２１の長さ方向中点位置に前腕３０が溶接され、その両側に後腕４０が溶接されている。内管２２は、外管２１よりも長く、外管２１の中に嵌合されている。外管２１及び内管２２にはそれぞれ中央付近に径方向に貫通した孔が形成されており、それらの孔にボールロックピン２３を通すことにより、互いに回り止めされている。そして、外管２１からはみ出た内管２２にも長寸方向の複数の個所に径方向に貫通した孔（図示省略）が形成されており、後述の主脚５０、５０同士の間隔調節に用いられる。
【００２５】
前腕３０も二重管状をなし、外管２１に直結した外管３１と外管３１内にスライド可能に嵌合された内管３２とからなる。そして、外管３１に形成された孔３１ａを内管３２の長寸方向の複数の個所に形成された孔３２ａのいずれかに合わせてボルト３３を通し、それにナット３４を締結することにより、外管３１と内管３２とが回り止めされるとともに、前腕３０全体の長さが決められる。内管３２の先端にはハンドル３５が設けられている。
後腕４０は、２本の縦棒４１、４１の間を平行する２本の横棒４２、４２で繋げた梯子状をなし、外管２１と溶接されているのは縦棒４１、４１である。
【００２６】
主脚５０も９５度に曲げ加工された上管５１と上管５１の一方の内側にスライド可能に嵌合された下管５２との二重管からなる。そして、上管５１に形成された孔５１ａを下管５２の長寸方向の複数の個所（図示は４個所）に形成された孔５２ａのいずれかに合わせてボールロックピン５３を通すことにより、上管５１と下管５２とが回り止めされるとともに、主脚５０全体の鉛直方向の長さが決められる。下管５２の先端には車輪５６が軸受けを介して取り付けられている。また、上管５１の下管５２と嵌合していない方の端部付近にも径方向に貫通した孔が形成されており、この孔を外管２１からはみ出た内管２２の孔のいずれかと合わせてボルト５４を通し、それにナット５５を締結することにより、上管５１と内管２２とが回り止めされるとともに、主脚５０同士の間隔すなわち車輪５６同士の間隔が決められる。
【００２７】
上管５１における下管５２と嵌合する部分には、孔５１ａと同じ高さで鉛直方向の軸回りに９０度回転した位置にも対向して孔が形成されている。そして、図１０に示すように、同じ高さに位置するこれらの合計４つの孔のうち隣り合う一組の孔はボールロックピン５３を半抜き状態で周方向に旋回させうるように連続している。
【００２８】
歩行補助具１０には、前腕３０のハンドル３５付近及び２本の横棒４２、４２の３カ所にハーネス１のリング２ｈ、２ｉ、２ｊと係り合うフック（図示省略）が短いベルトを介して取り付けられている。
歩行補助具１０は、主脚５０をボルト・ナット５４、５５で内管２２に固定した状態でボールロックピン２１を抜くことにより、図７の想像線で示すように前腕３０及び後腕４０を旋回させて主脚５０に対する前腕３０及び後腕４０の位相を変化させることができる。
【００２９】
歩行補助具１０の使用方法は以下の通りである。
先ず、ハーネス１を動物Ｗに装着した上で、お座りや伏せといった安楽な姿勢をとらせ、図１１に斜視図で示すように前腕３０を上、後腕４０を下にして動物Ｗの後方から主脚５０、５０で胴体を挟むような形で後腕４０の先端及び車輪５２を接地させる。そして、後腕４０の２つのフック及びリング２ｉ、２ｊをそれぞれ係り合わせることにより基幹ベルト２を後腕４０に固定する。この状態で車輪を介助者の足などで一時的に固定し、前腕３０を前傾させることで、主脚５０が直立する。すると、車輪５２が支点、前腕３０が力点、後腕４０が作用点となって、てこの原理により小さな力で動物Ｗの下半身を持ち上げることができる。その後、図１２に示すように首ベルト３のリング２ｈを前腕３０のフックで吊ることで、歩行中に楽に舵取りができる。お座りや伏せといった姿勢をとらせるときは、再度リング２ｈを前腕３０のフックから外せばよい。
【００３０】
また、ハーネス１を装着した動物Ｗから歩行補助具１０を一旦遠ざけて、ボールロックピン２３を抜いて前腕３０及び後腕４０を１８０度旋回し、ボールロックピン２３を反対側の孔から差し込んだ状態で図１３に示すようにハンドル３５を接地させ、再度後腕４０の２つのフック及びリング２ｉ、２ｊをそれぞれ係り合わせることにより、診察や入浴時の保定も容易に行える。
【００３１】
歩行補助具１０を収納するときは、ボールロックピン５３を半抜きにして上管５１に対して車輪５６を図１４に示すように下管５２とともに旋回させれば、少ない平面積を占有するだけで置くことができる。
尚、ハンドル３５は必ずしも前腕３０の先端に設けられていなくてもよく、小型動物用の歩行補助具の場合は、図１５に示すようにハンドルだけを基部から分岐させて設けても良い。また、主脚の間隔調節機能や前腕及び後腕の旋回機能を要しない場合は、基部２０は二重管でなくてもよく、上管５１と連なっていても良い。蹄をもたない、特に脚の麻痺が著しい動物のためには、図１６に示すような吊り金具及びベルト付きの保護ソックスを履かせて歩行補助具で吊ってやることもできる。
【００３２】
−実施形態２−
図１７は、第二の実施形態に係るハーネスの各構成要素を記号化して示す図である。この実施形態においては、ハーネス６０が実施形態１におけるハーネス１の構成に加えて２本の胴ベルト７１、７２を備える。胴ベルト７１は、一端がジョイント２ｄに固着されていて、他端が胸ベルト５の自由端と合わせられている。また、胴ベルト７２は、一端がジョイント２ｅに固着されていて他端に雄バックル７２ａが取り付けられている。そして、ジョイント２ｄには短いベルトを介して雌バックル７２ｂが取り付けられている。
【００３３】
このハーネス６０を動物に装着するときは、実施形態１におけるハーネス１と同様に雄バックル４ａ、５ａ、６ａをそれぞれ雌バックル４ｂ、５ｂ、６ｂと連結する。そして、更に雄バックル７２ａを雌バックル７２ｂと連結する。そうすると、図１８に示すように、胴ベルト７１と胴ベルト７２とが胸ないし上腹部のあたりでＸ字形に交差する。このため、胸部ないし上腹部をより優しく安定に保持することができる。胸部ないし上腹部がやせ細った動物に適している。
【００３４】
−実施形態３−
図１９は、第三の実施形態に係るハーネスの各構成要素を記号化して示す図である。この実施形態においては、ハーネス８０が実施形態１におけるハーネス１の構成に加えて２本の第二下肢ベルト９１、９１を備える。第二下肢ベルト９１は、いずれも一端が下肢ベルト６の自由端と合わせられ、他端に雄バックル９１ａが取り付けられている。そして、ジョイント２ｄには短いベルトを介して２個の雌バックル９１ｂが取り付けられている。
【００３５】
このハーネス６０を動物に装着するときは、実施形態１におけるハーネス１と同様に雄バックル４ａ、５ａ、６ａをそれぞれ雌バックル４ｂ、５ｂ、６ｂと連結する。そして、更に２本の第二下肢ベルト９１が下腹部を横切るようにして雄バックル９１ａを雌バックル９１ｂと連結する。そうすると、図２０に示すように、２本の第二下肢ベルト９１が下腹部のあたりでＸ字形に交差する。このため、下腹部をより優しく安定に保持することができる。あるいは２本の第二下肢ベルト９１が各々後足の外側を経て雄バックル９１ａを雌バックル９１ｂと連結させてもよい。この場合は後足の外側と内側の両側で支えることができる。いずれにしても下肢ないし臀部がやせ細った動物に適している。
【符号の説明】
【００３６】
１、６０、８０  四足動物用介護ハーネス
２  基幹ベルト
３  肩ベルト
４  首ベルト
５  胸ベルト
６  下肢ベルト
７  長さ調節具
７１、７２  胴ベルト
９１  第二下肢ベルト
１０  歩行補助具
２０  基部
３０  前腕
４０  後腕
５０  主脚
【図１】
0005511349.tif 000002
【図２】
0005511349.tif 000003
【図３】
0005511349.tif 000004
【図４】
0005511349.tif 000005
【図５】
0005511349.tif 000006
【図６】
0005511349.tif 000007
【図７】
0005511349.tif 000008
【図８】
0005511349.tif 000009
【図９】
0005511349.tif 000010
【図１０】
0005511349.tif 000011
【図１１】
0005511349.tif 000012
【図１２】
0005511349.tif 000013
【図１３】
0005511349.tif 000014
【図１４】
0005511349.tif 000015
【図１５】
0005511349.tif 000016
【図１６】
0005511349.tif 000017
【図１７】
0005511349.tif 000018
【図１８】
0005511349.tif 000019
【図１９】
0005511349.tif 000020
【図２０】
0005511349.tif 000021